【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
可動コンタクトを駆動する可動コンタクト駆動棒、
この可動コンタクト駆動棒が可移動に同心状に貫通する環状の投入専用コイル、
この投入専用コイルにその前記可動コンタクトの側に隣接し前記可動コンタクト駆動棒が可移動に同心状に貫通する環状の投入・遮断共用コイル、
この投入・遮断共用コイルに前記可動コンタクトの側に隣接する永久磁石、前記可動コンタクト駆動棒に装着され前記投入専用コイルおよび投入・遮断共用コイルが開閉装置投入時に付勢されると前記投入専用コイルおよび投入・遮断共用コイルの双方の電磁力により吸引されて前記投入専用コイルおよび投入・遮断共用コイル内を移動して前記永久磁石に吸着され前記可動コンタクト駆動棒を介して前記可動コンタクトを固定コンタクトに投入させる磁性の可動子、および
一端が前記可動コンタクト駆動棒に固定されるとともに他端が固定のバネ受け固定部材に固定され前記可動子の前記開閉装置投入時の移動により前記可動コンタクト駆動棒および前記バネ受け固定部材を介して圧縮されて蓄勢さる開放バネを備え、
開閉装置遮断時に投入・遮断共用コイルが前記開閉装置投入時と逆極性に付勢され、この逆極性に付勢された投入・遮断共用コイルの電磁力と前記開閉装置投入時に圧縮された前記開放バネの蓄勢放出力とにより前記可動子が前記開閉装置投入時と逆方向に移動し、この可動子の前記開閉装置投入時と逆方向の移動により前記可動コンタクト駆動棒を介して前記可動コンタクトが前記固定コンタクトから離れる遮断動作をする
開閉装置の電磁操作装置。
【請求項２】
請求項１に記載の開閉装置の電磁操作装置において、
前記投入専用コイルおよび前記投入・遮断共用コイルは、前記開閉装置投入時に、投入用駆動コンデンサの放電エネルギーにより付勢され、
前記投入・遮断共用コイルは、前記開閉装置遮断時に、遮断用駆動コンデンサの放電エネルギーにより前記逆極性に付勢される
ことを特徴とする開閉装置の電磁操作装置。
【請求項３】
請求項２に記載の開閉装置の電磁操作装置において、
投入用駆動コンデンサの静電容量が前記遮断用駆動コンデンサの静電容量より大きい
ことを特徴とする開閉装置の電磁操作装置。
【請求項４】
通電されると付勢される投入専用コイルと通電されると付勢される投入・遮断共用コイルとにより開閉装置投入を行い、前記投入・遮断共用コイルが前記開閉装置投入と逆極性に通電されると付勢され開放バネと協働して開閉装置遮断を行う開閉装置の駆動回路であって、
開閉装置投入時に投入駆動用コンデンサの充電エネルギーを第１の投入用スイッチの第１の動作により前記投入専用コイルに供給する第１の通電回路、
開閉装置投入時に投入駆動用コンデンサの充電エネルギーを第２の投入用スイッチの第１の動作およびコイル切り替え用リレーの第１の動作により前記投入・遮断共用コイルに供給する第２の通電回路、および
開閉装置遮断時に遮断駆動用コンデンサの充電エネルギーを遮断用スイッチの第１の動作および前記コイル切り替え用リレーの第２の動作により前記投入・遮断共用コイルに前記逆極性に供給する第３の通電回路
を備えている開閉装置の駆動回路。
【請求項５】
請求項４に記載の開閉装置の駆動回路において、
前記第１の投入用スイッチの第２の動作時の第１の誘導起電力抑制用スイッチの第１の動作により前記投入専用コイルの蓄積エネルギーを減衰させる第１の減衰回路、
前記第２の投入用スイッチの第２の動作時の第２の誘導起電力抑制用スイッチの第１の動作により前記投入・遮断共用コイルの蓄積エネルギーを減衰させる第２の減衰回路、および
前記遮断用スイッチの第２の動作により、前記第２の動作状態の前記コイル切り替え用リレーを介して前記投入・遮断共用コイルの前記逆極性への供給時の蓄積エネルギーを減衰させる第３の減衰回路
を備えていることを特徴とする開閉装置の駆動回路。
【請求項６】
請求項５に記載の開閉装置の駆動回路において、
前記第１の減衰回路および前記第２の減衰回路は何れも直列接続された複数の電流減衰用コンデンサにより前記減衰が行われる
ことを特徴とする開閉装置の駆動回路。
【請求項７】
請求項６に記載の開閉装置の駆動回路において、
前記第１の減衰回路および前記第２の減衰回路の各々に直列接続された前記電流減衰用コンデンサに蓄積されたエネルギーは、対応する前記第１の誘導起電力抑制用スイッチの第２の動作および前記第２の誘導起電力抑制用スイッチの第２の動作により、何れも対応する前記複数の電流減衰用コンデンサに並列接続の放電抵抗により減衰される
ことを特徴とする開閉装置の駆動回路。
【請求項８】
請求項５〜請求項７の何れか一に記載の開閉装置の駆動回路において、
前記第１の通電回路、前記第２の通電回路、前記第３の通電回路、前記第１の減衰回路、前記第２の減衰回路、および前記第３の減衰回路が共通の基板上に搭載されている
ことを特徴とする開閉装置の駆動回路。 
【手続補正２】
【補正対象書類名】明細書
【補正対象項目名】０００６
【補正方法】変更
【補正の内容】
【０００６】
この発明に係る開閉装置の電磁操作装置は、可動コンタクトを駆動する可動コンタクト駆動棒、
この可動コンタクト駆動棒が可移動に同心状に貫通する環状の投入専用コイル、
この投入専用コイルにその前記可動コンタクトの側に隣接し前記可動コンタクト駆動棒が可移動に同心状に貫通する環状の投入・遮断共用コイル、
この投入・遮断共用コイルに前記可動コンタクトの側に隣接する永久磁石、前記可動コンタクト駆動棒に装着され前記投入専用コイルおよび投入・遮断共用コイルが開閉装置投入時に付勢されると前記投入専用コイルおよび投入・遮断共用コイルの双方の電磁力により吸引されて前記投入専用コイルおよび投入・遮断共用コイル内を移動して前記永久磁石に吸着され前記可動コンタクト駆動棒を介して前記可動コンタクトを固定コンタクトに投入させる磁性の可動子、および
一端が前記可動コンタクト駆動棒に固定されるとともに他端が固定のバネ受け固定部材に固定され前記可動子の前記開閉装置投入時の移動により前記可動コンタクト駆動棒および前記バネ受け固定部材を介して圧縮されて蓄勢さる開放バネを備え、
開閉装置遮断時に投入・遮断共用コイルが前記開閉装置投入時と逆極性に付勢され、この逆極性に付勢された投入・遮断共用コイルの電磁力と前記開閉装置投入時に圧縮された前記開放バネの蓄勢放出力とにより前記可動子が前記開閉装置投入時と逆方向に移動し、この可動子の前記開閉装置投入時と逆方向の移動により前記可動コンタクト駆動棒を介して前記可動コンタクトが前記固定コンタクトから離れる遮断動作をするものである。 
【手続補正３】
【補正対象書類名】明細書
【補正対象項目名】０００７
【補正方法】変更
【補正の内容】
【０００７】
また、この発明に係る開閉装置の駆動回路は、通電されると付勢される投入専用コイルと通電されると付勢される投入・遮断共用コイルとにより開閉装置投入を行い、前記投入・遮断共用コイルが前記開閉装置投入と逆極性に通電されると付勢され開放バネと協働して開閉装置遮断を行う開閉装置の駆動回路であって、
開閉装置投入時に投入駆動用コンデンサの充電エネルギーを第１の投入用スイッチの第１の動作により前記投入専用コイルに供給する第１の通電回路、
開閉装置投入時に投入駆動用コンデンサの充電エネルギーを第２の投入用スイッチの第１の動作およびコイル切り替え用リレーの第１の動作により前記投入・遮断共用コイルに供給する第２の通電回路、および
開閉装置遮断時に遮断駆動用コンデンサの充電エネルギーを遮断用スイッチの第１の動作および前記コイル切り替え用リレーの第２の動作により前記投入・遮断共用コイルに前記逆極性に供給する第３の通電回路
を備えたものである。 
【手続補正４】
【補正対象書類名】明細書
【補正対象項目名】０００８
【補正方法】変更
【補正の内容】
【０００８】
この発明による開閉装置の電磁操作装置は、可動コンタクトを駆動する可動コンタクト駆動棒、この可動コンタクト駆動棒が可移動に同心状に貫通する環状の投入専用コイル、  この投入専用コイルにその前記可動コンタクトの側に隣接し前記可動コンタクト駆動棒が可移動に同心状に貫通する環状の投入・遮断共用コイル、この投入・遮断共用コイルに前記可動コンタクトの側に隣接する永久磁石、前記可動コンタクト駆動棒に装着され前記投入専用コイルおよび投入・遮断共用コイルが開閉装置投入時に付勢されると前記投入専用コイルおよび投入・遮断共用コイルの双方の電磁力により吸引されて前記投入専用コイルおよび投入・遮断共用コイル内を移動して前記永久磁石に吸着され前記可動コンタクト駆動棒を介して前記可動コンタクトを固定コンタクトに投入させる磁性の可動子、および一端が前記可動コンタクト駆動棒に固定されるとともに他端が固定のバネ受け固定部材に固定され前記可動子の前記開閉装置投入時の移動により前記可動コンタクト駆動棒および前記バネ受け固定部材を介して圧縮されて蓄勢さる開放バネを備え、開閉装置遮断時に投入・遮断共用コイルが前記開閉装置投入時と逆極性に付勢され、この逆極性に付勢された投入・遮断共用コイルの電磁力と前記開閉装置投入時に圧縮された前記開放バネの蓄勢放出力とにより前記可動子が前記開閉装置投入時と逆方向に移動し、この可動子の前記開閉装置投入時と逆方向の移動により前記可動コンタクト駆動棒を介して前記可動コンタクトが前記固定コンタクトから離れる遮断動作をするので、遮断用コイルと開放バネとにより遮断動作が行われ投入コイルによって開放バネの蓄勢および投入動作が行われる開閉装置の電磁操作装置において投入専用コイルを小型小容量とすることができる効果がある。 
【手続補正５】
【補正対象書類名】明細書
【補正対象項目名】０００９
【補正方法】変更
【補正の内容】
【０００９】
また、この発明による開閉装置の駆動回路は、通電されると付勢される投入専用コイルと通電されると付勢される投入・遮断共用コイルとにより開閉装置投入を行い、前記投入・遮断共用コイルが前記開閉装置投入と逆極性に通電されると付勢され開放バネと協働して開閉装置遮断を行う開閉装置の駆動回路であって、開閉装置投入時に投入駆動用コンデンサの充電エネルギーを第１の投入用スイッチの第１の動作により前記投入専用コイルに供給する第１の通電回路、開閉装置投入時に投入駆動用コンデンサの充電エネルギーを第２の投入用スイッチの第１の動作およびコイル切り替え用リレーの第１の動作により前記投入・遮断共用コイルに供給する第２の通電回路、および開閉装置遮断時に遮断駆動用コンデンサの充電エネルギーを遮断用スイッチの第１の動作および前記コイル切り替え用リレーの第２の動作により前記投入・遮断共用コイルに前記逆極性に供給する第３の通電回路を備えているので、遮断用コイルと開放バネとにより遮断動作が行われ投入コイルによって開放バネの蓄勢および投入動作が行われる開閉装置の電磁操作装置において投入専用コイルを小型小容量とすることができる効果がある。